(57)【要約】【課題】占いの実行が他の機能の実行に悪影響を与えることの少ない通信端末装置及び占い制御方法を提供する。【解決手段】折畳み型通信端末装置であって、上筐体１と下筐体２が閉状態にある場合に占いを行って、その占いの結果を上下筐体１、２が閉状態で外側にあたる面に設置された背面出力部５ｂに出力する。また、イベントの発生の際には占いの実行を中止する。【選択図】  図１
2004254061.tif 000002
【特許請求の範囲】
【請求項１】
占いを行う占い手段を有し、
通信端末としてのイベント発生の際に、前記占い手段による占いを中止する
ことを特徴とする通信端末装置。
【請求項２】
前記イベントは、着信であることを特徴とする請求項１に記載の通信端末装置。
【請求項３】
第１筐体と第２筐体とが折畳み型の形状であって、
前記第１筐体又は第２筐体の外側に配置された外側出力手段を有し、
前記第１、第２筐体の折畳み状態が閉状態になることによって、通信状況に依存しない情報を出力し、前記出力は前記外側出力手段に対して行う
ことを特徴とする通信端末装置。
【請求項４】
占いを行う占い手段を有し、
前記通信状況に依存しない情報は、前記占い手段の占い結果であることを特徴とする請求項３に記載の通信端末装置。
【請求項５】
第１筐体と第２筐体とが折畳み型の形状であって、
前記第１筐体又は第２筐体の内側に配置された内側出力手段、及び前記第１筐体又は第２筐体の外側に配置された外側出力手段と、
占いを行う占い手段とを有し、
前記内側出力手段を用いて前記占い手段への指示を入力し、前記第１、第２筐体の折畳み状態が閉状態である場合に、前記占い手段の占い結果を前記外側出力手段に出力する
ことを特徴とする通信端末装置。
【請求項６】
設定時刻にアラームを発生するアラーム発生手段を有し、
前記占い手段は、前記アラーム発生手段から発生されるアラームを利用者が停止した際に占いを行うことを特徴とする請求項５に記載の通信端末装置。
【請求項７】
イベント発生の際に、前記占い手段による占いを中止することを特徴とする請求項５に記載の通信端末装置。
【請求項８】
前記イベントは、前記折畳み状態の閉状態から開状態への変化であることを特徴とする請求項７に記載の通信端末装置。
【請求項９】
第１筐体と第２筐体とが折畳み型の情報処理装置における占い制御方法であって、
前記第１、第２筐体の折畳み状態が閉状態である場合に占い手段による占いを開始し、
前記第１筐体又は第２筐体の外側に配置された出力手段に前記占い手段の占い結果を出力し、
前記占い結果が出力される前に前記折畳み状態が閉状態から開状態へ変化する場合は、前記占い手段の動作を中止する
ことを特徴とする占い制御方法。
【請求項１０】
第１筐体と第２筐体とが折畳み型の情報処理装置における占い制御方法であって、
前記第１筐体又は第２筐体の内側に配置された第１出力手段を用いて占いを行う占い手段への指示を入力し、
前記第１、第２筐体の折畳み状態が閉状態である場合に、前記占い手段による占いを開始し、
前記第１筐体又は第２筐体の外側に配置された第２出力手段に前記占い手段の占い結果を出力し、
前記占い結果が出力される前に前記折畳み状態が閉状態から開状態へ変化する場合は、前記占い手段の動作を中止する
ことを特徴とする占い制御方法。
【発明の詳細な説明】
【０００１】
【発明の属する技術分野】
本発明は、通信端末装置及び占い制御方法に係り、特に他の機能の実行に影響を与えずに占いを行う制御に関する。
【０００２】
【従来の技術】
占いを従たる機能として行う通信端末装置が知られている。この通信端末装置が行う占いは、利用者の起動によって、または、着信や目覚まし時刻の到来などのイベント発生に伴う起動によって動作を開始し、占いの結果を出力装置に出力する（例えば、特許文献１参照。）。
【０００３】
なお、ここで言う占いとは、占いを実行する日時、利用者や通信相手の性別、誕生日や血液型などの属性に、必要なら乱数処理を加えることによって、利用者の戒め、または、参考、更には、楽しみとする情報を選択、または、作成して出力し、あるいは、通信端末装置への設定を行う動作を指す。
【０００４】
また、日時や利用者の属性に依存せず、乱数のみに基づいて情報を選択、または、作成するものも含む。そこで、占いには、おみくじ、星占い、「今日の運勢」の出力、「今日の格言」の出力なども含むものとする。
【０００５】
【特許文献１】
特開２００２−３４４５６４号公報（第２頁、図１）
【０００６】
【発明が解決しようとする課題】
しかしながら、上述した特許文献１に開示されている方法では、占いの実行中に着信などのイベントがあった場合に、そのイベントに依存して主たる機能の実行を開始すべきところ、占いの実行がその主たる機能の速やかな実行に悪影響を及ぼす問題点があった。また、占いの度々の実行によって電池残量の消耗が進み、そのために主たる機能の実行に支障が生じるという問題点もあった。
【０００７】
本発明は、上記問題点を解決するためになされたもので、占いの実行が他の機能の実行に悪影響を及ぼすことの少ない通信端末装置及び占い制御方法を提供することを目的とする。
【０００８】
【課題を解決するための手段】
上記目的を達成するために、本発明の通信端末装置は、占いを行う占い手段を有し、通信端末としてのイベント発生の際に、前記占い手段による占いを中止することを特徴とする。
【０００９】
また、本発明の通信端末装置は、第１筐体と第２筐体とが折畳み型の形状であって、前記第１筐体又は第２筐体の内側に配置された内側出力手段、及び前記第１筐体又は第２筐体の外側に配置された外側出力手段と、占いを行う占い手段とを有し、前記内側出力手段を用いて前記占い手段への指示を入力し、前記第１、第２筐体の折畳み状態が閉状態である場合に、前記占い手段の占い結果を前記外側出力手段に出力することを特徴とする。
【００１０】
本発明によれば、他機能の実行の際には占いの実行を抑制することにより、占いの実行が他の機能の実行に与える影響を最小にすることができる。
【００１１】
【発明の実施の形態】
以下に、本発明による通信端末装置の実施の形態を、図面を参照して説明する。図１は、本発明を適用した折畳み型移動通信端末装置の実施の形態であり、上下筐体の折畳みを開いた時の外観を示す図である。図１（ａ）は背面図を、図１（ｂ）は側面図を、図１（ｃ）は正面図をそれぞれ示す。
【００１２】
この移動通信端末装置は、上筐体１と下筐体２とを、ヒンジ部３によって回動自在に連結してなる。上筐体１の内面には、受話に用いられる正面スピーカ４ａと、装置の動作状態の表示などに用いられるＬＣＤからなる正面出力部５ａとが設置されている。また、上筐体１の外面には、占いの結果の表示などに用いられるＬＣＤからなる背面出力部５ｂが設置されている。
【００１３】
また、下筐体２の内面には、英数字や文字・記号の入力などに用いられるキーパッドからなる入力部６と、送話に用いられるマイク７とが設置されている。また、下筐体２の外面には、電波の送受に用いられるアンテナ８と、占いの結果の発音などに用いられる背面スピーカ４ｂとが設置されている。
【００１４】
更に、ヒンジ部３には、上下筐体１、２が開状態にあるか、または、閉状態にあるかを検出する開閉検出部（図示せず）が設置されて、その開閉検出部から開閉信号が出力されている。
【００１５】
なお、通話に用いられる正面スピーカ４ａや、マイク７、更に、電話番号の入力などに用いられる入力部６は、いずれも内面に設置されており、通話や、メール送信や、Ｗｅｂ閲覧などの移動通信端末装置の主たる機能は、上下筐体１、２が開状態であるときに動作する。そのため、正面出力部５ａは、背面出力部５ｂと比べると、多くの情報の出力が可能であり、電力消費が多い装置である。
【００１６】
図２は、この移動通信端末装置の構成を示すブロック図である。この移動通信端末装置は、開閉信号３ａが入力され、装置全体の制御を行う制御部１１と、アンテナ８と、通信部１２と、送受信部１３と、正面スピーカ４ａと、マイク７と、通話部１４と、背面スピーカ４ｂと、正面出力部５ａと、背面出力部５ｂと、入力部６と、占いを行う占い部１５と、目覚まし時刻になった際にアラームを発生する目覚まし時計部１６と、これらに電力を供給する充電池（図示せず）とからなる。
【００１７】
次に、通信部１２の動作を説明する。通信部１２は、アンテナ８を介して受信した高周波信号を送受信部１３に送信する。また、送受信部１３から出力される高周波信号をアンテナ８へ送信する。
【００１８】
次に、送受信部１３の動作を説明する。送受信部１３は、通信部１２からの高周波信号を増幅、周波数変換及び復調し、それによって得たデジタル音声信号を通話部１４へ送信し、また、制御信号を制御部１１へ送信する。更には、通話部１４から出力されるデジタル音声信号、及び制御部１１から出力される制御信号を変調、周波数変換及び増幅し、高周波信号を得て、それを通信部１２へ送信する。
【００１９】
次に、通話部１４の動作を説明する。通話部１４は、送受信部１３から出力されるデジタル音声信号をアナログ音声信号に変換し、それを増幅して正面スピーカ４ａに送る。また、マイク７が出力するアナログ音声信号を増幅し、それをデジタル音声信号に変換して送受信部１３へ送信する。
【００２０】
次に、正面出力部５ａの動作を説明する。正面出力部５ａは、上下筐体１、２が開状態にある場合に、制御部１１より起動されることにより、表示動作を開始する。制御部１１より新しい画面が起動されるまで、同じ表示動作を続ける。
【００２１】
次に、背面出力部５ｂの動作を説明する。背面出力部５ｂは、上下筐体１、２が閉状態にある場合に、制御部１１より起動されることにより、表示動作を開始する。制御部１１より新しい画面が起動されるまで、同じ表示動作を続ける。
【００２２】
次に、入力部６の動作を説明する。入力部６は、複数のキースイッチからなり、制御部１１からの起動信号により、利用者が操作したキースイッチを識別するコード信号を制御部１１へ通知する。
【００２３】
次に、占い部１５の動作を説明する。占い部１５は、占いを行って、その占いの結果を出力する装置である。図３は、占い部１５の動作のフローチャートを示す。占い部１５は、占いの種別を引数として、制御部１１が起動することにより、動作を開始する（ステップ１５ａ）。
【００２４】
続いて、占いに必要なデータを読み込む（ステップ１５ｂ）。占いに必要なデータは、占いの種別に依存する。例えば、「今日の格言」の表示を行うのであれば、実行時の日付をクロック（図示せず）から読み込む。
【００２５】
続いて、ステップ１５ｂで得たデータから計算して、占いの結果番号を得る（ステップ１５ｃ）。例えば、「今日の格言」の表示を行うのであれば、ステップ１５ｂで読み込んだ日付を引数に乱数関数を呼んで自然数の乱数を得て、その乱数を記憶している格言の数で割って剰余を求め、その剰余を「占いの結果番号」とする。
【００２６】
占い部１５は、続いて、上記「占いの結果番号」をキーにして、出力すべき情報を占い部１５内の記憶から検索する（ステップ１５ｄ）。例えば、「今日の格言」の表示を行うのであれば、格言が記憶された配列の中で、上記「占いの結果番号」番目に記憶された格言を検索して、検索結果を表示する情報とする。続いて、上記情報を背面出力部５ｂに出力して（ステップ１５ｅ）、終了する（ステップ１５ｆ）。
【００２７】
次に、目覚まし時計部１６の動作を説明する。目覚まし時計部１６は、入力部６の所定のキー操作によって動作を開始し、続いて、目覚まし時刻を入力部６から入力する。
【００２８】
そして、クロックから読み込んだ時刻と目覚まし時刻とを比較することによって目覚まし時刻の到来を検出すると、目覚まし時刻到来のアラームを背面スピーカ４ｂから発生する。上記アラームが発生している際に、アラーム停止の指示が入力部６の所定のキー操作によって入力されると、上記アラームの出力を停止する。
【００２９】
上記のように構成された、本発明の実施形態に係る移動通信端末装置の動作を説明する。まず、移動通信端末装置が占いを行う際の、制御部１１の制御動作を、図４及び図５のフローチャートを参照して、説明する。
【００３０】
図４は、利用者の操作に基づいて占いを行う際の、制御部１１の制御動作のフローチャートを示す。占いの制御は、上下筐体１、２が開状態であることを検出する開閉検出部から開閉信号３ａが入力され、利用者が入力部６の所定のキーを操作することによって動作を開始する（ステップ２１ａ）。続いて、入力部６を用いて利用者から要求する占いの種類などの入力を行い（ステップ２１ｂ）、続いて、上下筐体１、２を閉状態にすることを促す表示を正面出力部５ａに出力する（ステップ２１ｃ）。
【００３１】
続いて、上下筐体１、２が閉状態になったイベントの発生があるかを開閉検出部からの開閉信号３ａによって調べ（ステップ２１ｄ）、イベントの発生がなく、上下筐体１、２が開状態であれば、ステップ２１ｃに戻って、再度、閉状態にすることを促す表示を行う。イベントの発生があり、上下筐体１、２が閉状態であれば、占い部１５に占いの実行指令を出し、利用者の要求する占いの実行と占いの結果の出力を行わせる（ステップ２１ｅ）。
【００３２】
この際、上下筐体１、２は閉位置であるため、上記占いの結果が文字情報や画像情報であれば、その出力は、背面出力部５ｂを用いて行わせる。
【００３３】
制御部１１は、続いて、送受信部１３における着信や、目覚まし時計部１６における目覚まし時刻到来などのイベント発生がないかを調べる（ステップ２１ｆ）。そして、イベントが発生していれば、発生したイベントに応じた動作を直ちに支障なく行うと共に、上記占いの結果の出力動作を中止する（ステップ２１ｉ）。
【００３４】
更に、上下筐体１、２の開閉状態を調べ（ステップ２１ｇ）、開閉信号３ａから、上下筐体１、２が開状態へ変化したイベント発生があると判断すると、それは、利用者が占い以外の主たる機能の動作を要求しようとしていることを意味しているので、利用者が要求しようとしている機能の動作を直ちに支障なく行うと共に、上記占いの結果の出力動作を中止する（ステップ２１ｉ）。
【００３５】
上記の上下筐体１、２の開閉状態変化のイベントを含む各種のイベント発生がなければ、占いの結果の出力開始から所定時間が経過したかを調べ（ステップ２１ｈ）、経過していなければ、占いの結果の出力動作を継続し、ステップ２１ｆに戻って上記のイベント発生の判断を繰返す。所定時間が経過していれば、背面出力部５ｂへの占いの結果の出力動作を終了する（ステップ２１ｉ）。
【００３６】
図５は、イベント発生に基づいて占いを行う際の、制御部１１の制御動作のフローチャートを示す。上記イベントは、例えば、目覚まし時計部１６が発生した目覚まし時刻到来のアラームを利用者が停止したイベントである。この場合の制御動作は、図４にフローチャートを示した、利用者の操作に基づいて占いを行う際の制御動作と殆ど同じである。そこで、同じ動作のステップには同じ符号を付し、説明を省略する。
【００３７】
制御部１１は、イベント発生によって動作を開始し（ステップ２５ａ）、開閉信号３ａによって上下筐体１、２の開閉状態を調べる（ステップ２５ｂ）。開状態であれば、直ちに占いの動作を終了し（ステップ２１ｉ）、閉状態であれば、既に説明したステップ２１ｅ以降の占いの動作を行う。
【００３８】
なお、制御部１１は、上記目覚まし時刻到来のアラームを利用者が停止したイベントによって占いを行う場合には、利用者は、占いの結果を起床時に見ることが多いため、「今日の運勢」を占うように占い部１５に指示する。これによって、利用者への良い戒めとなる。また、メール着信のイベントによって占いを行う場合には、同じ日であっても占いの出力を毎回変化させることが適当なので、おみくじや「今日の格言」の出力などを無作為に選択して占うように占い部１５に指示する。
【００３９】
もし、通話終了のイベントによって占いを行う場合には、イベント発生時には上下筐体１、２は開状態にある。そのため、ステップ２５ｂの筐体の開閉状態を調べるステップの実行前に、所定の猶予時間を設定する。また、ステップ２１ｃの、上下筐体１、２を閉状態にすることを促す表示の出力を行っても良い。
【００４０】
また、上下筐体１、２が閉状態になったイベントによって占いを行う場合には、ステップ２５ｂの筐体の開閉状態を調べるステップは常に閉状態との結果を返すので、実行を省略できる。
【００４１】
なお、上記通話終了、または、上下筐体１、２が閉状態になったイベントによって占いを行う場合にも、同じ日であっても占いの出力を毎回変化させることが適当なので、おみくじや「今日の格言」の出力などをランダムに選んで占うように占い部１５に指示する。
【００４２】
以上の説明で、イベント発生を制御部１１が調べるとしたが、これらは、割り込みによって制御部１１に通知されるとしても良い。また、ステップ２１ｅの占いの実行の中途で上記割り込みが発生した場合には、占い部１５の動作を終了させる制御を行っても良い。
【００４３】
上記説明したように、この実施形態によれば、上下筐体１、２が開状態に変化したイベントを含む、各種イベントが発生した際に占いの動作を中止することにより、発生したイベントに応じた動作や、利用者が上下筐体１、２を開状態にして要求しようとしている動作を直ちに支障なく行うことができる。
【００４４】
また、この実施形態によれば、占いの結果を背面出力部５ｂに表示するので、正面出力部５ａに表示するより移動通信端末装置の電力消費を削減することができる。
【００４５】
更に、占いの実行開始には上下筐体１、２を閉状態にする必要があるので、利用者が主たる機能の実行を終了した後で、漫然と開状態のままで放置することを防ぐことが可能となる。ここで、主たる機能の実行が終わると、移動通信端末装置は出力部に時刻を表示し、時計として用いられることが多い。上下筐体１、２が閉状態であれば、その時刻を背面出力部５ｂに表示するので、正面出力部５ａに表示するより装置の電力消費を削減することができる。
【００４６】
更に、閉状態においては、入力部６からの入力の有無の検出機能を動作させないため、装置の電力消費を削減することができる。これらの電力消費の削減により、電池残量の不足によって主たる機能の実行に支障が生じることが防止できる。
【００４７】
また、移動通信端末装置を目覚まし時計として用いる場合には、上下筐体１、２を開状態に保つと、利用者が就寝中に装置に予想外の力を加えることによる誤操作や破損の可能性が、それを閉状態に保つ場合に比較して大きい。そこで、上下筐体１、２を閉状態に保たせることにより、予想外の事態に陥って主たる機能の実行に支障が生じることが防止できる。
【００４８】
本実施形態においては、占い部１５が行う占いは、実行時の日付に依存した「今日の格言」の表示を例示したが、これに限るものではない。例えば、実行時の日付と利用者の誕生日に依存した星占いによる「今日の運勢」の占いであっても良く、また、利用者のいる場所や電波の強さなどに依存した占いをしても良い。
【００４９】
更に、電話番号簿（図示せず）から得た通話相手の誕生日にも依存する「相性占い」であっても良い。「相性占い」の場合には、通話相手の誕生日の他にも、通話相手の声の大きさや高さ、通話相手からのメールの文字数、その通話相手との発信の回数や着信の回数、通話の切断を利用者で行った回数と、通話相手が行った回数などに依存した占いをしても良い。
【００５０】
また、占いの結果の出力は、文字の表示を例示したが、これに限るものではない。例えば、背面スピーカ４ｂからの文章の読み上げ、背面スピーカ４ｂからの音楽の発音、背面出力部５ｂへの画像の表示、イルミネーションランプ（図示せず）の点灯などであっても良い。更に、同期をとってこれらを出力しても良い。
【００５１】
更に、イベントの例として、着信、通話終了、メール着信、上下筐体１、２の開閉状態の変化、目覚まし時刻の到来、目覚ましアラームの利用者による停止を用いたが、これらに限るものではない。また、着信イベントは、着信があったことによるイベントに限らず、通話開始のイベントとしても良い。本発明は以上の構成に限定されるものではなく、種々の変形が可能である。
【００５２】
【発明の効果】
以上述べたように、本発明によれば、他機能の実行の際には占いの実行を抑制することにより、占いの実行が他の機能の実行に与える影響を最小にすることができる。
【図面の簡単な説明】
【図１】本発明の実施形態に係る移動通信端末装置の外観図。
【図２】本発明の実施形態に係る移動通信端末装置の構成を示すブロック図。
【図３】本発明の実施形態に係る占い部のフローチャート。
【図４】本発明の実施形態に係る制御部の占い動作制御のフローチャート（利用者の指示による占いの場合）。
【図５】本発明の実施形態に係る制御部の占い動作制御のフローチャート（イベント発生による占いの場合）。
【符号の説明】
１  上筐体
２  下筐体
３  ヒンジ部
３ａ  開閉信号
４ｂ  背面スピーカ
５ａ  正面出力部
５ｂ  背面出力部
６  入力部
１１  制御部
１５  占い部
１６  目覚まし時計部
【図１】
2004254061.tif 000003
【図２】
2004254061.tif 000004
【図３】
2004254061.tif 000005
【図４】
2004254061.tif 000006
【図５】
2004254061.tif 000007